(57)【要約】      （修正有）【課題】消費電力を低減できる計測システム、時計、計測結果表示方法、計測結果表示プログラム、計測装置、計測結果指示方法及び計測結果指示プログラムを提供する。【解決手段】使用者が携帯可能な時計３と、時計３とは別体であり、且つ時計３と通信可能な計測装置２と、を備え、計測装置２は、所定の計測項目を計測する計測部と、計測部による計測結果に基づく運針情報を生成する運針情報生成部と、生成された運針情報を送信する計測装置側送信部と、を有し、時計３は、計測装置２から送信された運針情報を受信する受信部と、指針Ｐ１、Ｐ２、Ｐ３と、受信された運針情報に基づいて指針Ｐ１、Ｐ２、Ｐ３を回動させて、指針Ｐ１、Ｐ２、Ｐ３に計測結果を示させる駆動部と、を有する。【選択図】図１
2018109579.tif 000002
【特許請求の範囲】
【請求項１】
使用者が携帯可能な時計と、
前記時計とは別体であり、且つ前記時計と通信可能な計測装置と、を備え、
前記計測装置は、
所定の計測項目を計測する計測部と、
前記計測部による計測結果に基づく運針情報を生成する運針情報生成部と、
生成された前記運針情報を送信する計測装置側送信部と、を有し、
前記時計は、
前記計測装置から送信された前記運針情報を受信する時計側受信部と、
指針と、
受信された前記運針情報に基づいて前記指針を回動させて、前記指針に前記計測結果を示させる駆動部と、を有することを特徴とする計測システム。
【請求項２】
請求項１に記載の計測システムにおいて、
前記計測装置側送信部は、前記計測結果に基づく前記運針情報を所定間隔毎に送信し、
前記運針情報生成部は、前記計測部による前記計測結果のうち、新たに取得された計測結果と、直前に送信された前記運針情報に応じた計測結果との差分に基づいて、前記運針情報を生成することを特徴とする計測システム。
【請求項３】
請求項２に記載の計測システムにおいて、
前記指針は、前記計測結果である計測値の桁数に応じて複数設けられ、
前記運針情報生成部は、前記新たに取得された計測結果を示す際の複数の前記指針のそれぞれの位置と、前記直前に送信された前記運針情報に応じた計測結果を示す際の複数の前記指針のそれぞれの位置との差分に基づいて、前記運針情報を生成することを特徴とする計測システム。
【請求項４】
請求項１から請求項３のいずれか一項に記載の計測システムにおいて、
前記運針情報は、前記指針の回動方向及び回動量を含む情報であり、
前記駆動部は、前記運針情報に含まれる前記指針の回動方向及び回動量に応じて前記指針を回動させることを特徴とする計測システム。
【請求項５】
請求項１から請求項４のいずれか一項に記載の計測システムにおいて、
前記時計は、
発電部と、
当該時計に駆動電力を供給する二次電池と、
前記発電部によって発電された電力により前記二次電池を充電する充電部と、を有することを特徴とする計測システム。
【請求項６】
請求項１から請求項５のいずれか一項に記載の計測システムにおいて、
前記時計は、
前記使用者の入力操作を受け付ける入力部と、
前記入力操作に応じて開始情報を送信する時計側送信部と、を有し、
前記計測部は、それぞれ異なる複数の計測項目を計測可能に構成され、
前記計測装置は、
前記複数の計測項目のうち、前記運針情報の送信対象となる計測項目である送信対象項目を切り替える対象切替部と、
前記開始情報を受信する計測装置側受信部と、
前記開始情報が受信されると、前記送信対象項目を報知する報知部と、を有することを特徴とする計測システム。
【請求項７】
請求項６に記載の計測システムにおいて、
前記報知部は、前記複数の計測項目に応じた複数の発光部を有し、
前記計測装置は、前記複数の発光部のうち、前記送信対象項目に応じた発光部を点灯させる報知制御部を有することを特徴とする計測システム。
【請求項８】
請求項６又は請求項７に記載の計測システムにおいて、
前記時計は、
前記入力操作が実施されてから始動するタイマーと、
前記タイマーによる計時時間が所定時間を経過すると、前記指針の移動を停止させる指針制御部と、を有することを特徴とする計測システム。
【請求項９】
請求項１から請求項８のいずれか一項に記載の計測システムにおいて、
前記計測部は、気圧、方位、温度、照度、紫外線量、放射線量、加速度、角速度及び位置の少なくともいずれかの計測項目を計測することを特徴とする計測システム。
【請求項１０】
指針と、
前記指針の回動量を含む運針情報を外部から受信する受信部と、
受信された前記運針情報に含まれる前記回動量に応じて前記指針を回動させる駆動部と、を有することを特徴とする時計。
【請求項１１】
指針を有する時計によって実施される計測結果表示方法であって、
前記指針の回動量を含む運針情報を外部から受信する受信ステップと、
受信された前記運針情報に含まれる前記回動量に応じて前記指針を回動させる運針ステップと、を含むことを特徴とする計測結果表示方法。
【請求項１２】
指針を有する時計によって実行される計測結果表示プログラムであって、
前記時計に、
前記指針の回動量を含む運針情報を外部から受信する受信ステップと、
受信された前記運針情報に含まれる前記回動量に応じて前記指針を回動させる運針ステップと、を実行させることを特徴とする計測結果表示プログラム。
【請求項１３】
指針を有する時計と通信可能な計測装置であって、
所定の計測項目を計測する計測部と、
前記計測部による計測結果に応じた位置に前記指針を位置させる、前記指針の回動量を含む運針情報を生成する運針情報生成部と、
生成された前記運針情報を前記時計に送信する送信部と、を有することを特徴とする計測装置。
【請求項１４】
指針を有する時計と通信可能な計測装置によって実施される計測結果指示方法であって、
所定の計測項目を計測する計測ステップと、
前記計測ステップでの計測結果に応じた位置に前記指針を位置させる、前記指針の回動量を含む運針情報を生成する生成ステップと、
生成された前記運針情報を前記時計に送信する送信ステップと、を含むことを特徴とする計測結果指示方法。
【請求項１５】
指針を有する時計と通信可能な計測装置によって実行される計測結果指示プログラムであって、
前記計測装置に、
所定の計測項目を計測する計測ステップと、
前記計測ステップでの計測結果に応じた位置に前記指針を位置させる、前記指針の回動量を含む運針情報を生成する生成ステップと、
生成された前記運針情報を前記時計に送信する送信ステップと、を実行させることを特徴とする計測結果指示プログラム。
【発明の詳細な説明】
【技術分野】
【０００１】
本発明は、計測システム、時計、計測結果表示方法、計測結果表示プログラム、計測装置、計測結果指示方法及び計測結果指示プログラムに関する。
【背景技術】
【０００２】
従来、時刻表示用の目盛が設けられた文字盤と、時針、分針及び秒針等の複数の指針と、当該複数の指針を駆動する駆動手段と、を備えた指針式時計（いわゆるアナログ時計）が知られている。このような指針式時計として、複数のセンサーを内蔵し、当該複数のセンサーによる検出結果を上記指針によって表示する電子腕時計が知られている（例えば、特許文献１参照）。
【先行技術文献】
【特許文献】
【０００３】
【特許文献１】特開２０１３−３２９１９号公報
【発明の概要】
【発明が解決しようとする課題】
【０００４】
ところで、上記特許文献１に記載の電子腕時計は、センサーを内蔵しているため、消費電力が大きくなりやすいという問題がある。
これに対し、センサーをセンサーユニットとして時計から分離し、当該時計がセンサーユニットによる計測結果を受信して表示する構成が考えられる。
しかしながら、計測値は計測項目毎にスケールが異なる可能性があることから、受信した計測結果（計測値）を上記複数の指針によって表示する場合、当該複数の指針をどのように移動（回動）させるのかを、時計が演算する必要がある。このため、消費電力を十分に低減することが難しいという問題がある。
特に、太陽電池等の発電部によって発電された電力により充電される二次電池を備える時計では、消費電力が大きいと、電池切れが発生しやすいという問題がある。
【０００５】
本発明の目的は、消費電力を低減できる計測システム、時計、計測結果表示方法、計測結果表示プログラム、計測装置、計測結果指示方法及び計測結果指示プログラムを提供することにある。
【課題を解決するための手段】
【０００６】
本発明の計測システムは、使用者が携帯可能な時計と、前記時計とは別体であり、且つ前記時計と通信可能な計測装置と、を備え、前記計測装置は、所定の計測項目を計測する計測部と、前記計測部による計測結果に基づく運針情報を生成する運針情報生成部と、生成された前記運針情報を送信する計測装置側送信部と、を有し、前記時計は、前記計測装置から送信された前記運針情報を受信する時計側受信部と、指針と、受信された前記運針情報に基づいて前記指針を回動させて、前記指針に前記計測結果を示させる駆動部と、を有することを特徴とする。
【０００７】
本発明によれば、時計とは別体として構成された計測装置による計測結果を、当該時計の指針によって表示できるので、使用者は当該計測結果を直観的に把握できる。この際、時計の駆動部は、計測装置から送信されて時計側受信部によって受信される運針情報に基づいて指針を回動させて、当該計測結果を示す。これによれば、計測装置から計測結果である計測値が受信され、時計が、当該計測値に応じた指針の位置を算出し、当該時計の駆動部が、算出された位置に上記指針を回動させる場合に比べて、時計の処理を省略又は簡略化できる。従って、時計の消費電力を低減させることができる他、当該時計の構成を簡略化できる。
また、本発明の計測システムに、種々の計測項目を計測する計測装置が採用される場合でも、当該計測装置が上記運針情報を送信しさえすれば、当該運針情報に基づいて、時計が、計測装置による計測結果を確実に表示できる。従って、時計を汎用的な表示装置として利用できるので、時計、ひいては、計測システムの利便性を向上させることができる。
【０００８】
本発明において、前記計測装置側送信部は、前記計測結果に基づく前記運針情報を所定間隔毎に送信し、前記運針情報生成部は、前記計測部による前記計測結果のうち、新たに取得された計測結果と、直前に送信された前記運針情報に応じた計測結果との差分に基づいて、前記運針情報を生成することが好ましい。
本発明によれば、上記運針情報は、計測部によって新たに計測された計測結果と、直前に送信された運針情報に応じた計測結果（当該運針情報が基礎とする計測結果）との差分に基づいて生成される。これによれば、上記新たに計測された計測結果を示す際に、現在の位置からの指針の移動量（回動量）を小さくすることができる。従って、指針の移動に伴う消費電力を更に低減できる。
【０００９】
本発明において、前記指針は、前記計測結果である計測値の桁数に応じて複数設けられ、前記運針情報生成部は、前記新たに取得された計測結果を示す際の複数の前記指針のそれぞれの位置と、前記直前に送信された前記運針情報に応じた計測結果を示す際の複数の前記指針のそれぞれの位置との差分に基づいて、前記運針情報を生成することが好ましい。
ここで、１つの指針によって比較的大きな数値（例えば１０００以上の値）を示す場合には、当該指針の高い移動精度が求められる他、計測値に大きな変化が生じる場合には、指針の回動に比較的長い時間を要する。これに対し、本発明によれば、指針は、計測結果である計測値の桁数に応じて複数設けられるので、１つの指針によって示される数値を小さくすることができる。従って、指針の移動精度が高くなくても、使用者が、上記計測値を確実に読み取ることができる他、計測結果を迅速に表示できる。
また、運針情報は、新たに取得された計測結果を示す際の各指針の位置と、直前に送信された運針情報に応じた計測結果を示す際の各指針の位置（すなわち、現在の各指針の位置）との差分に基づいて生成される。これによれば、各指針を個別に回動させることができるので、当該各指針を効率よく回動させることができる。従って、指針の移動に伴う消費電力を一層低減できる。
【００１０】
本発明において、前記運針情報は、前記指針の回動方向及び回動量を含む情報であり、前記駆動部は、前記運針情報に含まれる前記指針の回動方向及び回動量に応じて前記指針を回動させることが好ましい。
なお、例えば、指針を回動させる駆動部がステッピングモーターを有する構成である場合には、回動量は、ステッピングモーターに供給されるステップ数（パルス数）とすることができる。
本発明によれば、運針情報に上記回動方向及び回動量が含まれるので、当該運針情報が受信されて、当該回動方向及び回動量が駆動部に入力しさえすれば、上記指針を回動させて、計測装置による計測結果（計測値）を指針によって確実に表示できる。この際、運針情報に指針の回動方向が含まれるので、当該指針を一方及び他方に回動させることができ、当該指針を効率よく回動させることができる。従って、指針の移動によって当該計測結果を示す際の消費電力を確実に低減できる。
【００１１】
本発明において、前記時計は、発電部と、当該時計に駆動電力を供給する二次電池と、前記発電部によって発電された電力により前記二次電池を充電する充電部と、を有することが好ましい。
このような発電部としては、ソーラーパネル（太陽電池）の他、回転錘が回転されることによって発電する発電装置を例示できる。
本発明によれば、二次電池が充電されることにより、時計を永続的に機能させることができる。
ここで、上記に例示される発電部によって発電された電力の電圧はそれほど高くないことから、上記計測結果を示す際の消費電力が大きい場合には、二次電池に蓄電された電力が不足する場合が想定される。この場合には、二次電池の容量を大きくする等の対策が必要になる。
これに対し、本発明では、上記計測結果を示す際の消費電力が低減されるので、時計を機能させるための二次電池の電池残量を確保しやすくすることができ、時計を確実に機能させ続けることができる。
【００１２】
本発明において、前記時計は、前記使用者の入力操作を受け付ける入力部と、前記入力操作に応じて開始情報を送信する時計側送信部と、を有し、前記計測部は、それぞれ異なる複数の計測項目を計測可能に構成され、前記計測装置は、前記複数の計測項目のうち、前記運針情報の送信対象となる計測項目である送信対象項目を切り替える対象切替部と、前記開始情報を受信する計測装置側受信部と、前記開始情報が受信されると、前記送信対象項目を報知する報知部と、を有することが好ましい。
なお、計測部は、複数の計測項目のそれぞれに応じたセンサーを有していてもよく、１つのセンサーによる検出結果に基づいて、複数の計測項目を計測可能に構成されていてもよい。
本発明によれば、入力部に対する使用者の入力操作に応じて送信される開始情報が、計測装置側受信部によって受信されると、対象切替部によって切り替えられる上記送信対象項目が報知される。これによれば、時計の使用者は、計測部によって計測可能な複数の計測項目のうち、上記指針が計測結果を示している計測項目がどの計測項目であるのかを把握できる。従って、計測システムの利便性を向上させることができる。
【００１３】
本発明において、前記報知部は、前記複数の計測項目に応じた複数の発光部を有し、前記計測装置は、前記複数の発光部のうち、前記送信対象項目に応じた発光部を点灯させる報知制御部を有することが好ましい。
本発明によれば、点灯されている発光部を確認することにより、上記送信対象項目を簡易に把握できる。従って、音声等によって当該送信対象項目が報知される場合に比べて、送信対象項目を把握しやすくすることができる。
【００１４】
本発明において、前記時計は、前記入力操作が実施されてから始動するタイマーと、前記タイマーによる計時時間が所定時間を経過すると、前記指針の移動を停止させる指針制御部と、を有することが好ましい。
本発明によれば、計測装置から受信される運針情報に応じた指針の回動、すなわち、指針による上記計測結果の表示は、上記入力操作が行われてから所定時間が経過するまでの間となる。従って、指針の回動が長時間に亘って実施される場合に比べて、消費電力を低減させることができる。
【００１５】
本発明において、前記計測部は、気圧、方位、温度、照度、紫外線量、放射線量、加速度、角速度及び位置の少なくともいずれかの計測項目を計測することが好ましい。
なお、上記計測項目は、気圧センサー、地磁気センサー、照度センサー、紫外線センサー、放射線センサー、加速度センサー、角速度センサー及び位置センサー（ＧＰＳセンサー等）により計測できる。
本発明によれば、上記少なくともいずれかの計測項目の計測結果が上記指針によって表示されるので、計測システムの用途を拡大できる。
【００１６】
本発明の時計は、指針と、前記指針の回動量を含む運針情報を外部から受信する受信部と、受信された前記運針情報に含まれる前記回動量に応じて前記指針を回動させる駆動部と、を有することを特徴とする。
本発明によれば、当該時計が、上記計測装置と組み合わされることによって、上記計測システムと同様の効果を奏することができる。
【００１７】
本発明の計測結果表示方法は、指針を有する時計によって実施される計測結果表示方法であって、前記指針の回動量を含む運針情報を外部から受信する受信ステップと、受信された前記運針情報に含まれる前記回動量に応じて前記指針を回動させる運針ステップと、を含むことを特徴とする。
本発明によれば、指針を有する時計が上記計測結果表示方法を実施することにより、上記時計と同様の効果を奏することができる。
【００１８】
本発明の計測結果表示プログラムは、指針を有する時計によって実行される計測結果表示プログラムであって、前記時計に、前記指針の回動量を含む運針情報を外部から受信する受信ステップと、受信された前記運針情報に含まれる前記回動量に応じて前記指針を回動させる運針ステップと、を実行させることを特徴とする。
本発明によれば、指針を有する時計が上記計測結果表示プログラムを実行することにより、上記時計と同様の効果を奏することができる。
【００１９】
本発明の計測装置は、指針を有する時計と通信可能な計測装置であって、所定の計測項目を計測する計測部と、前記計測部による計測結果に応じた位置に前記指針を位置させる、前記指針の回動量を含む運針情報を生成する運針情報生成部と、生成された前記運針情報を前記時計に送信する送信部と、を有することを特徴とする。
本発明によれば、当該計測装置が、上記時計と組み合わされることによって、上記計測システムと同様の効果を奏することができる。
【００２０】
本発明の計測結果指示方法は、指針を有する時計と通信可能な計測装置によって実施される計測結果指示方法であって、所定の計測項目を計測する計測ステップと、前記計測ステップでの計測結果に応じた位置に前記指針を位置させる、前記指針の回動量を含む運針情報を生成する生成ステップと、生成された前記運針情報を前記時計に送信する送信ステップと、を含むことを特徴とする。
本発明によれば、指針を有する時計と通信可能な計測装置が上記計測結果指示方法を実施することにより、上記計測装置と同様の効果を奏することができる。
【００２１】
本発明の計測結果指示プログラムは、指針を有する時計と通信可能な計測装置によって実行される計測結果指示プログラムであって、前記計測装置に、所定の計測項目を計測する計測ステップと、前記計測ステップでの計測結果に応じた位置に前記指針を位置させる、前記指針の回動量を含む運針情報を生成する生成ステップと、生成された前記運針情報を前記時計に送信する送信ステップと、を実行させることを特徴とする。
本発明によれば、指針を有する時計と通信可能な計測装置が上記計測結果指示プログラムを実行することにより、上記計測装置と同様の効果を奏することができる。
【図面の簡単な説明】
【００２２】
【図１】本発明の一実施形態に係る計測システムの構成を示す模式図。
【図２】上記実施形態における時計を正面から見た模式図。
【図３】上記実施形態における時計の内部構成を示すブロック図。
【図４】上記実施形態における時計の制御部の構成を示すブロック図。
【図５】上記実施形態における計測装置の外観を示す模式図。
【図６】上記実施形態における計測装置の装置本体の構成を示すブロック図。
【図７】上記実施形態における計測装置の制御部の構成を示すブロック図。
【図８】上記実施形態における表示処理を示すフローチャート。
【発明を実施するための形態】
【００２３】
以下、本発明の一実施形態について、図面に基づいて説明する。
［計測システムの概略構成］
図１は、本実施形態に係る計測システム１の構成を示す模式図である。
本実施形態に係る計測システム１は、図１に示すように、互いに通信可能に構成された計測装置２及びアナログ式の時計３を備える。
この計測システム１は、計測装置２が、所定の計測項目の計測結果に応じた運針情報を時計３に送信し、当該時計３が、受信された運針情報に基づいて指針Ｐ１〜Ｐ３を移動（回動）させて、当該計測結果を表示することを特徴の１つとしている。
以下、計測システム１の各構成について、先に時計３について説明し、後に計測装置２について説明する。
【００２４】
［時計の外部構成］
図２は、時計３（時計本体３０）を正面から見た模式図である。
時計３は、使用者によって携帯可能に構成され、当該使用者に装着されて利用されるウェアラブル機器である。この時計３は、時計本体３０と、当該時計本体３０を使用者の身体（例えば手首）に装着させるバンドＢＮ１，ＢＮ２と、を備える。
時計本体３０は、図２に示すように、正面視略円形状の筐体３０１と、当該筐体３０１に設けられる円形状の文字盤３０２と、時針ＨＨ、分針ＭＨ及び秒針ＳＨと、小窓３０３〜３０５と、指針Ｐ１〜Ｐ３と、スイッチＳＷ３１〜ＳＷ３４と、を有する。
【００２５】
時針ＨＨ及び分針ＭＨは、それぞれの回動軸が文字盤３０２の略中央にて同軸となるように回転可能に設けられている。また、秒針ＳＨは、文字盤３０２において略１０時方向に配置された小窓３０３に回転可能に設けられている。これら時針ＨＨ、分針ＭＨ及び秒針ＳＨの回転は、後述する時刻表示制御部３８３（図４参照）によって制御される。
【００２６】
小窓３０４は、文字盤３０２において略６時方向に配置されている。この小窓３０４には、モード表示針３０４１及び電池残量表示針３０４２が、それぞれの回動軸が同軸となるように回動可能に配置されている。これら針３０４１，３０４２の回動は、後述する状態表示制御部３８５（図４参照）によって制御される。
小窓３０５は、文字盤３０２における略２時方向に配置されている。この小窓３０５には、指針Ｐ１，Ｐ２が、それぞれの回動軸が同軸となるように回動可能に配置されている。これらのうち、指針Ｐ２は、指針Ｐ１より長く形成されている。
また、指針Ｐ３は、回動軸が時針ＨＨ及び分針ＭＨと同軸となるように文字盤３０２に回動可能に設けられている。これら指針Ｐ１〜Ｐ３の回動は、後述する指針制御部３９０（図４参照）によって制御される。
【００２７】
なお、時計３は、計測装置２による計測結果を示す際に、上記指針Ｐ１〜Ｐ３によって４つの桁数の数値を指し示すことが可能となるように構成されている。例えば、４桁の数値のうち、上位１桁目の数値（千の桁の数値）を指針Ｐ１が指示し、上位２桁目の数値（百の桁の数値）を指針Ｐ２が指示し、上位３桁目及び４桁目の数値（十の桁及び一の桁の数値）を指針Ｐ３が指示する。小数点以下の数値を示す場合も同様である。すなわち、指針Ｐ１は、「００」〜「９９」の値を指示し、指針Ｐ２，Ｐ３は、それぞれ「０」〜「１」の値を指示する。これら指針Ｐ１〜Ｐ３の回動については、後に詳述する。
【００２８】
スイッチＳＷ３１〜ＳＷ３４は、本発明の入力部を構成するものであり、筐体３０１の側面に突没可能に設けられている。
スイッチＳＷ３１は、筐体３０１において３時方向に位置し、計測装置２との通信接続を確立する際に押下されるスイッチである。
スイッチＳＷ３２は、筐体３０１において２時方向に位置し、計測装置２による計測結果の表示を開始及び終了する際に押下されるスイッチである。
スイッチＳＷ３３は、筐体３０１において１０時方向に位置し、時刻修正を行う際に押下されるスイッチである。具体的に、スイッチＳＷ３３は、後述する日時情報受信部３３（図３参照）にＧＰＳ（Global Positioning System）信号等の衛星信号や標準電波等に含まれる日時情報を受信させて、時刻修正を行う際に押下されるスイッチである。
スイッチＳＷ３４は、時計３の動作モードを変更する際に押下されるスイッチである。この動作モードについては、後に詳述する。
これらスイッチＳＷ３１〜ＳＷ３４は、それぞれ使用者によって押下されると、当該スイッチに応じた制御信号を、後述する制御部３８に出力する。
【００２９】
［時計の内部構成］
図３は、時計３の内部構成を示すブロック図である。
時計３は、上記構成の他、図３に示すように、発電部３１、充電部３２、二次電池ＢＴ、日時情報受信部３３、計時部３４、通信部３５、駆動部３６、記憶部３７及び制御部３８を有する。
発電部３１は、二次電池ＢＴを充電する電力を発生させる。本実施形態では、発電部３１としては、光エネルギーを電気エネルギー（電力）に変換する複数のソーラーセル（光発電素子）を有するソーラーパネルが採用されている。しかしながら、これに限らず、発電部３１は、回転錘を回転させることによって発電する構成であってもよい。
充電部３２は、発電部３１にて発電された電力によって二次電池ＢＴを充電する。
二次電池ＢＴは、時計本体３０に駆動電力を供給する。なお、二次電池ＢＴの電池残量は、上記電池残量表示針３０４２によって指示される。
【００３０】
日時情報受信部３３は、上記スイッチＳＷ３３の押下時の制御信号が入力されると、上記日時情報を受信する。
計時部３４は、現在日時を計時する。この現在日時は、日時情報受信部３３によって受信された日時情報に基づいて、後述する制御部３８によって修正される。
通信部３５は、本発明の時計側受信部、時計側送信部及び受信部に相当し、後述する制御部３８の制御下にて外部機器である計測装置２と通信する。そして、通信部３５は、通信接続が確立した計測装置２による計測結果の表示を開始する開始情報、及び、当該表示を終了する終了情報を計測装置２に送信する。また、通信部３５は、計測装置２から当該計測結果に基づく運針情報を受信する。そして、通信部３５は、受信された運針情報を制御部３８に出力する。
このような通信部３５は、例えば、例えばＩＥＥＥ８０２．１５等の近距離無線通信規格に応じた通信方式や、ＩＥＥＥ８０２．１６及びＬＴＥ（Long Term Evolution）等の通信規格に応じた通信方式により、外部機器と通信可能な通信モジュールにより構成できる。なお、前者の通信方式としては、Bluetooth（登録商標）が挙げられる。
【００３１】
駆動部３６は、制御部３８による制御下にて上記針を回動（移動）させるものであり、本実施形態では、各針に応じて設けられるステッピングモーターを備えて構成される。このような駆動部３６は、時刻針駆動部３６１、状態針駆動部３６２及び指針駆動部３６３を有する。
時刻針駆動部３６１は、時針ＨＨ、分針ＭＨ及び秒針ＳＨを回転させる。
状態針駆動部３６２は、モード表示針３０４１及び電池残量表示針３０４２を回動させる。
指針駆動部３６３は、指針Ｐ１〜Ｐ３を回動させる。
【００３２】
記憶部３７は、例えばフラッシュメモリー等の不揮発性メモリーにより構成され、時計３の動作に必要な各種プログラムやデータを記憶している。例えば、記憶部３７は、このようなプログラムとして、時計３及び計測装置２によって後述する計測結果表示処理を実行するために、時計３による計測結果表示処理（本発明の計測結果表示方法の手順を含む処理）を実行するための計測結果表示プログラムを記憶している。また、記憶部３７は、計測装置２と通信接続する際の接続情報を記憶する。
【００３３】
図４は、制御部３８の構成を示す機能ブロック図である。
制御部３８は、例えばＣＰＵ（Central Processing Unit）等の制御回路を備えて構成され、時計３全体の動作を制御する。例えば、制御部３８は、スイッチＳＷ３１〜３４の押下に応じて入力される制御信号に応じた処理を実行する他、現在時刻の修正や、現在時刻を表示する際の運針処理を行う。このような制御部３８は、図４に示すように、受信制御部３８１、時刻修正部３８２、時刻表示制御部３８３、モード設定部３８４、状態表示制御部３８５、通信制御部３８６、情報送信部３８７、タイマー３８８、運針情報取得部３８９及び指針制御部３９０を有する。
【００３４】
受信制御部３８１は、上記スイッチＳＷ３３から制御信号が入力されると、日時情報受信部３３に日時情報を受信させる。なお、受信制御部３８１は、当該制御信号が入力されなくても、１日に１回等、定期的に日時情報を受信させてもよい。
時刻修正部３８２は、日時情報受信部３３によって日時情報が受信されると、計時部３４によって計時されている現在日時を修正する。
時刻表示制御部３８３、時刻針駆動部３６１を制御して、計時部３４によって計時されている現在日時に応じて上記時針ＨＨ、分針ＭＨ及び秒針ＳＨを回転させる。
【００３５】
モード設定部３８４は、上記スイッチＳＷ３４から制御信号が入力されると、時計３の動作モードを変更する。このような動作モードとして、日時情報受信部３３及び通信部３５の機能を停止させる機内モードや、計測装置２等の外部機器との通信を行う通信モードを例示できる。
状態表示制御部３８５は、状態針駆動部３６２を制御して、時計３の状態を針３０４１，３０４２によって表示させる。具体的に、状態表示制御部３８５は、モード設定部３８４によって設定された現在の動作モードを、モード表示針３０４１を回動させて表示させる他、二次電池ＢＴの電池残量を電池残量表示針３０４２を回動させて表示させる。なお、このような電池残量は、二次電池ＢＴから供給される駆動電力の電圧を検出することによって検出できる。
【００３６】
通信制御部３８６は、通信部３５による外部機器である計測装置２との通信を制御する。具体的に、通信制御部３８６は、通信部３５による計測装置２との通信を確立し、当該計測装置２との接続情報を記憶部３７に記憶させる。そして、通信制御部３８６は、計測装置２との通信が必要になった場合に、当該接続情報に基づいて通信部３５に計測装置２と通信させ、各種情報の送受信を実行させる。
【００３７】
情報送信部３８７は、上記スイッチＳＷ３２から制御信号が入力されると、計測装置２（通信接続が確立された計測装置２）による計測結果の表示を開始することを示す開始情報を、通信部３５により当該計測装置２に送信する。また、情報送信部３８７は、タイマー３８８による計時時間が所定時間に達した場合、又は、上記スイッチＳＷ３２から制御信号が再度入力された場合には、当該計測結果の表示を終了することを示す終了情報を、通信部３５により当該計測装置２に送信する。
【００３８】
タイマー３８８は、情報送信部３８７が上記開始信号を送信してからの時間を計時する。そして、当該時間が所定時間（本実施形態では１分）を経過すると、タイマー３８８は、情報送信部３８７に上記終了情報を送信させる。なお、タイマー３８８による計時時間は、上記所定時間の経過後にリセットされる他、上記スイッチＳＷ３２から制御信号が再度入力されて、上記情報送信部３８７が終了情報を送信した場合でもリセットされる。
【００３９】
運針情報取得部３８９は、上記開始情報が送信された後、通信部３５を介して計測装置２から受信される運針情報を取得する。この運針情報は、計測装置２による所定の計測項目の計測結果（計測値）を上記指針Ｐ１〜Ｐ３によって指示する際に、各指針Ｐ１〜Ｐ３の回動量及び回動方向を示す情報である。詳述すると、運針情報は、上記指針Ｐ１〜Ｐ３を回動させる指針駆動部３６３のうち、指針Ｐ１を回動させるステッピングモーターに入力されるステップ数（パルス数）、及び、当該指針Ｐ１の回動方向と、指針Ｐ２を回動させる駆動部に入力されるステップ数、及び、当該指針Ｐ２の回動方向と、指針Ｐ３を回動させる駆動部に入力されるステップ数、及び、当該指針Ｐ３の回動方向と、を含む情報である。
【００４０】
指針制御部３９０は、情報送信部３８７が上記開始信号を送信すると、上記指針駆動部３６３を制御して、初期位置（例えば「０」の位置）に位置するように指針Ｐ１〜Ｐ３を移動（回動）させる。そして、指針制御部３９０は、運針情報取得部３８９により取得された運針情報に基づいて、上記指針Ｐ１〜Ｐ３を回動させる。
具体的に、指針制御部３９０は、指針駆動部３６３のうち、指針Ｐ１を回動させるモーターに、取得された運針情報に含まれる指針Ｐ１についてのステップ数及び回動方向に応じたパルス信号を出力し、指針Ｐ２を回動させるモーターに、取得された運針情報に含まれる指針Ｐ２についてのステップ数及び回動方向に応じたパルス信号を出力し、指針Ｐ３を回動させるモーターに、取得された運針情報に含まれる指針Ｐ３についてのステップ数及び回動方向に応じたパルス信号を出力する。
このように、指針駆動部３６３は、入力されたステップ数及び回動方向に応じて指針Ｐ１〜Ｐ３を回動させるので、これら指針Ｐ１〜Ｐ３によって計測装置２による計測結果が示される。
【００４１】
なお、上記のように、指針Ｐ１〜Ｐ３によって当該計測結果が表示されるのは、上記タイマー３８８による計時時間が所定時間を経過するまでである。このため、指針制御部３９０は、当該計時時間が所定時間を経過すると、現在の位置で指針Ｐ１〜Ｐ３を停止させる。しかしながら、これに限らず、指針制御部３９０は、上記初期位置に位置するように指針Ｐ１〜Ｐ３を回動させ、計測結果表示が終了していることを示してもよい。
【００４２】
［計測装置の構成］
図５は、計測装置２の外観を示す模式図である。
次に、計測装置２について説明する。
計測装置２は、本実施形態では、時計３の装着者である使用者によって携帯可能に構成され、計測装置２（ひいては使用者）の周囲の環境を計測する他、計測装置２の動き（ひいては使用者の体動）を計測する。そして、計測装置２は、これらの計測結果を時計３が表示するための上記運針情報を生成及び送信する。
このような計測装置２は、図５に示すように、略直方体形状に形成された筐体２１と、当該筐体２１の正面２１Ａにそれぞれ配設された項目ラベルＬＢ１〜ＬＢ４、発光部ＬＰ１〜ＬＰ４、電源スイッチＳＷ２１及び切替スイッチＳＷ２２と、を有する。
【００４３】
筐体２１は、後述する装置本体２２（図６参照）を内部に収容する。
項目ラベルＬＢ１〜ＬＢ４は、計測装置２によって計測可能な項目数に応じて設けられ、それぞれ対応する計測項目名が表記されている。本実施形態では、計測装置２は、紫外線量、気温、歩数及びカロリーを計測可能であるため、項目ラベルＬＢ１〜ＬＢ４は、「Ultraviolet」、「Temperature」、「Step count」及び「Calorie」と表記されている。
発光部ＬＰ１〜ＬＰ４は、本発明の報知部を構成する。これら発光部ＬＰ１〜ＬＰ４は、それぞれ項目ラベルＬＢ１〜ＬＢ４に応じて配設され、後述する制御部２６の制御下にて点灯して、どの計測項目の計測結果に応じた上記運針情報を計測装置２が送信するのかを示す。これら発光部ＬＰ１〜ＬＰ４は、本実施形態では、ＬＥＤ（Light Emitting Diode）により構成できる。
電源スイッチＳＷ２１は、計測装置２の電源のオン／オフを行うスイッチである。
切替スイッチＳＷ２２は、使用者の入力操作に応じて、運針情報を送信する計測項目を切り替える切替信号を出力するスイッチである。
【００４４】
［装置本体の構成］
図６は、装置本体２２の構成を示すブロック図である。
計測装置２は、上記構成の他、図６に示すように、筐体２１内に収容される装置本体２２を有する。この装置本体２２は、検出部２３、通信部２４、記憶部２５及び制御部２６を有する。
【００４５】
［検出部の構成］
検出部２３は、本発明の計測部を構成する。この検出部２３は、使用者に関する情報や、計測装置２の周囲環境等の各種情報を検出する。本実施形態では、検出部２３は、紫外線センサーＳＳ１、温度センサーＳＳ２及び動きセンサーＳＳ３を有する。
紫外線センサーＳＳ１、温度センサーＳＳ２及び動きセンサーＳＳ３は、それぞれ、紫外線量、温度及び計測装置２の動き（ひいては使用者の体動）を検出する。これらのうち、動きセンサーＳＳ３は、当該計測装置２に作用する加速度及び角速度を検出する加速度センサー及び角速度センサーの少なくともいずれかを備えて構成される。
そして、検出部２３は、これらセンサーＳＳ１〜ＳＳ３による検出結果を示す検出信号を制御部２６に出力する。
【００４６】
［通信部及び記憶部の構成］
通信部２４は、本発明の計測装置側送信部、計測装置側受信部及び送信部に相当する。この通信部２４は、制御部２６の制御下にて外部機器である時計３と通信し、上記開始情報及び終了情報を受信する他、制御部２６にて生成された運針情報を時計３に送信する。すなわち、通信部２４は、計測装置側送信部及び計測装置側受信部に相当する。このような通信部２４は、上記通信部３５と同様の通信モジュールにより構成できる。
記憶部２５は、例えばフラッシュメモリー等の不揮発性メモリーにより構成され、計測装置２の動作に必要な各種プログラム及びデータを記憶している。例えば、記憶部２５は、このようなプログラムとして、時計３及び計測装置２によって後述する計測結果表示処理を実行するために、計測装置２による計測結果指示処理（本発明の計測結果指示方法の手順を含む処理）を実行するための計測結果指示プログラムを記憶している。この他、記憶部２５は、各センサーＳＳ１〜ＳＳ３による計測結果を記憶する。
【００４７】
［制御部の構成］
図７は、制御部２６の構成を示すブロック図である。
制御部２６は、例えばＣＰＵ等の制御回路を備えて構成され、計測装置２全体の動作を制御する。例えば、制御部２６は、検出部２３から入力される検出信号を解析して、計測項目毎の計測結果を記憶部２５に記憶させる。この他、制御部２６は、当該計測結果に基づいて上記運針情報を生成し、当該運針情報を時計３に送信する。
このような制御部２６は、記憶部２５に記憶されたプログラムを実行することにより、図７に示すように、計時部２６１、情報解析部２６２、通信制御部２６３、対象切替部２６４、報知制御部２６５及び運針情報生成部２６６として機能する。
【００４８】
計時部２６１は、現在日時を計時する。
情報解析部２６２は、上記検出部２３とともに本発明の計測部を構成し、各センサーＳＳ１〜ＳＳ３から入力される検出信号を解析する。本実施形態では、情報解析部２６２は、紫外線センサーＳＳ１から入力される検出信号に基づいて、紫外線量を算出する他、計時部２６１によって計時されている現在日時に基づいて、当日及び累積の紫外線量を算出する。また、情報解析部２６２は、温度センサーＳＳ２から入力される検出信号に基づいて、計測装置２の周囲温度を算出する。更に、情報解析部２６２は、動きセンサーＳＳ３から入力される検出信号、及び、上記現在時刻に基づいて、当日の歩数を計数する他、当日の消費カロリーを算出する。これら計測値等の情報は、記憶部２５に記憶される。
【００４９】
通信制御部２６３は、通信部２４を介して行われる外部機器である時計３との通信を制御する。例えば、通信部２４が時計３とBluetoothにて通信する際には、通信制御部２６３は、当該時計３から取得されるペアリング情報を接続情報として記憶部２５に記憶させる。そして、通信制御部２６３は、当該接続情報に基づいて時計３との通信接続を確立し、当該時計３から送信される情報（例えば開始情報や終了情報）を通信部２４に受信させる他、各種情報（例えば運針情報）を通信部２４によって時計３に送信する。
【００５０】
対象切替部２６４は、上記切替スイッチＳＷ２２から切替信号が入力された際に、時計３に送信される運針情報に対応する計測項目（送信対象項目）を切り替える。本実施形態では、対象切替部２６４は、当該切替信号が入力される毎に、計測装置２がそれぞれ計測可能な紫外線量、気温、歩数及びカロリーのうちの１つに順に切り替える。
報知制御部２６５は、通信部２４によって時計３から開始情報が受信されると、発光部ＬＰ１〜ＬＰ４のうち、現在の送信対象項目に応じた発光部を点灯させる。また、報知制御部２６５は、通信部２４によって上記終了情報が受信されると、発光部ＬＰ１〜ＬＰ４のうち、現在点灯させている発光部を消灯させる。
【００５１】
運針情報生成部２６６は、通信部２４によって上記開始情報が受信されてから、上記終了情報が受信されるまでの間、機能する。この運針情報生成部２６６は、上記送信対象項目の計測結果に基づく上記運針情報を生成する。
この運針情報を生成する際に、運針情報生成部２６６は、指針Ｐ１〜Ｐ３の移動が最も効率よく行われる運針情報を生成する。換言すると、運針情報生成部２６６は、指針Ｐ１〜Ｐ３のそれぞれの移動量が最も小さくなる運針情報を生成する。
【００５２】
具体的に、運針情報生成部２６６は、まず、直前に送信された運針情報に応じた指針の位置（現在の指針の位置）を特定する。なお、運針情報生成部２６６が、上記開始情報の受信直後に運針情報を生成する場合には、当該指針の位置は、上記指針Ｐ１〜Ｐ３の位置がそれぞれ「０」を示す位置、すなわち、上記初期位置と特定する。
そして、運針情報生成部２６６は、新たに取得された送信対象項目の計測結果を示す際の各指針Ｐ１〜Ｐ３の位置と、上記直前に送信された運針情報に応じた各指針Ｐ１〜Ｐ３の位置との差分に基づいて、新たに送信する運針情報を生成する。
【００５３】
例えば、直前に送信された運針情報により示される計測結果の数値（直前計測値）が「１５８４」である場合、上位１桁目の数値を示す指針Ｐ１は「１」を示し、上位２桁目の数値を示す指針Ｐ２は「５」を示し、上位３桁目及び４桁目の数値を示す指針Ｐ３は「８４」を示す。そして、新たに取得された計測結果の数値（新規計測値）が「１６４０」である場合には、指針Ｐ１〜Ｐ３によって示される桁毎に、新規計測値から直前計測値を減算して、これらの差分を取得する。この場合の差分では、上位１桁目の数値は「０」であり、上位２桁目の数値は「１」であり、上位３桁目及び４桁目の数値は「−４４」となる。このため、運針情報生成部２６６は、上記指針Ｐ３の位置はそのままで、上記指針Ｐ２を＋方向（時計回り）に「１」移動させ、上記指針Ｐ３を−方向（半時計回り）に「４４」移動させる運針情報を生成する。すなわち、この場合には、各指針Ｐ１〜Ｐ３を「１」移動させるステップ数が「１」であるとすると、指針Ｐ１の回動方向及びステップ数に何も設定されず、指針Ｐ２の回動方向及びステップ数に「＋方向」及び「１」が設定され、指針Ｐ１の回動方向及びステップ数が「−方向」及び「４４」が設定された運針情報が生成される。すなわち、当該運針情報では、指針Ｐ１について「０」が設定され、指針Ｐ２について「＋１」が設定され、指針Ｐ３について「−４４」が設定される。
【００５４】
また例えば、直前計測値が「４０５５」であり、新規計測値が「５９８２」である場合には、運針情報生成部２６６は、指針Ｐ１について「＋１」が設定され、指針Ｐ２について「−１」が設定され、指針Ｐ３について「＋２７」が設定された運針情報を生成する。
このように生成された運針情報は、通信制御部２６３によって時計３に送信される。
なお、運針情報は、通信制御部２６３によって所定間隔毎（例えば４秒毎）に送信される。この送信間隔は、各センサーＳＳ１〜ＳＳ３のサンプリングレートや、運針情報生成部２６６による運針情報の生成間隔に応じて、調整可能である。
【００５５】
［計測システムにおける計測結果の表示処理］
図８は、計測装置２及び時計３によって実行される表示処理を示すフローチャートである。
それぞれ上記した計測装置２及び時計３は、図８に示す表示処理を実行することによって、計測装置２による計測結果を時計３が指針Ｐ１〜Ｐ３によって表示する。この表示処理は、それぞれ記憶部２５，３７に記憶された計測結果指示プログラム及び計測結果表示プログラムを制御部２６，３８が実行して、時計３が計測結果表示処理ＳＡを、計測装置２が計測結果指示処理ＳＢを実施することによって行われる。
なお、以下に説明する表示処理では、計測装置２と時計３との間の通信接続が既に確立されている他、計測装置２にて既に各センサーＳＳ１〜ＳＳ３による検出、及び、各計測項目の計測が実施されているものとする。
【００５６】
この表示処理は、使用者によって、時計３に設けられたスイッチＳＷ３２が押下されて開始される。このスイッチＳＷ３２が押下されると、時計３の情報送信部３８７が、通信部３５を介して開始情報を計測装置２に送信する（ステップＳＡ１）。
次に、時計３のタイマー３８８が始動するとともに（ステップＳＡ２）、指針制御部３９０が、指針Ｐ１〜Ｐ３を上記初期位置に移動させる（ステップＳＡ３）。
この後、時計３は、計測装置２から運針情報が取得されるのを待機する。
【００５７】
一方、計測装置２は、センサーＳＳ１〜ＳＳ３による各計測項目の検出及び情報解析部２６２による解析を継続しつつ、制御部２６が、時計３から開始情報が受信されたか否かを判定する（ステップＳＢ１）。この判定処理は、開始情報が受信されるまで、定期的に実行される。
このステップＳＢ１の判定処理にて、開始情報が受信されたと判定されると、運針情報生成部２６６が、上記運針情報を生成し（ステップＳＢ２）、通信制御部２６３が、生成された運針情報を通信部２４により時計３に送信する（ステップＳＢ３）。なお、開始情報が受信された後に、上記切替信号が切替スイッチＳＷ２２から入力された場合でも、運針情報生成部２６６は、上記と同様に運針情報を生成する。
【００５８】
この後、計測装置２では、制御部２６が、時計３から終了情報が受信されたか否かを判定する（ステップＳＢ４）。
この判定処理にて、終了情報が受信されていないと判定されると、制御部２６は、処理をステップＳＢ２に戻す。これにより、上記ステップＳＢ２，ＳＢ３による運針情報の生成及び送信は、終了情報が受信されるまで所定間隔毎に繰り返し実行される。
一方、当該判定処理にて、終了情報が受信されたと判定されると、運針情報生成部２６６は、運針情報の生成を停止し、通信部２４も運針情報の送信を停止する（ステップＳＢ５）。また、これとともに、報知制御部２６５が、発光部ＬＰ１〜ＬＰ４を消灯させる。
これにより、計測装置２による計測結果指示処理ＳＢが終了する。なお、後述するように、終了情報を送信した時計３では、運針情報に基づく指針Ｐ１〜Ｐ３の回動を行わないため、運針情報の生成及び送信を継続してもよい。
【００５９】
上記ステップＳＡ３の後、計測装置２から運針情報が送信されると、時計３の運針情報取得部３８９が、通信部３５によって受信された当該運針情報を取得する（ステップＳＡ４）。
この後、指針制御部３９０が、取得された運針情報に基づいて、指針Ｐ１〜Ｐ３を移動させる（ステップＳＡ５）。この際、指針制御部３９０は、取得された運針情報のうち、指針Ｐ１についての運針情報（回動方向及びステップ数）に応じたパルス信号を、指針Ｐ１を回動させるステッピングモーターに出力し、指針Ｐ２についての運針情報に応じたパルス信号を、指針Ｐ２を回動させるステッピングモーターに出力し、指針Ｐ３についての運針情報に応じたパルス信号を、指針Ｐ３を回動させるステッピングモーターに出力する。これにより、指針制御部３９０は、計測装置２による計測結果を指針Ｐ１〜Ｐ３によって表示するための複雑な計算や、当該指針Ｐ１〜Ｐ３の回動方向及び回動量の演算を要することなく、上記送信対象項目の計測結果（計測値）を、指針Ｐ１〜Ｐ３によって表示させることができる。
【００６０】
上記ステップＳＡ５の後、時計３の制御部３８は、使用者によって計測結果を表示する処理の終了操作が行われたか否か、すなわち、スイッチＳＷ３２から制御信号が入力されたか否かを判定する（ステップＳＡ６）。
この判定処理にて、終了操作が行われていないと判定されると、制御部３８は、処理をステップＳＡ７に移行する。
一方、当該判定処理にて、終了操作が行われたと判定されると、制御部３８は、処理をステップＳＡ８に移行する。
【００６１】
ステップＳＡ７では、タイマー３８８が、上記開始情報を送信してからの時間が所定時間を経過したか否かを判定する（ステップＳＡ７）。
この判定処理にて、所定時間を経過していないと判定されると、制御部３８は、処理をステップＳＡ４に戻す。これにより、指針制御部３９０が、再び受信される運針情報に基づいて指針Ｐ１〜Ｐ３を回動させる。
一方、当該判定処理にて、所定時間が経過したと判定されると、タイマー３８８は、所定時間が経過した旨を通知する。これにより、制御部３８は、処理をステップＳＡ８に移行する。
【００６２】
ステップＳＡ８では、情報送信部３８７が、通信部３５を介して計測装置２に終了情報を送信する（ステップＳＡ８）。これにより、指針制御部３９０による指針Ｐ１〜Ｐ３の回動が停止され、指針Ｐ１〜Ｐ３は、現在の位置で停止される。
この後、通信制御部３８６が、通信部３５を介しての計測装置２からの運針情報の受信を停止させ（ステップＳＡ９）、電力消費を低減させる。
以上により、時計３での計測結果表示処理が終了する。
【００６３】
［実施形態の効果］
以上説明した本実施形態に係る計測システム１によれば、以下の効果を奏することができる。
計測システム１では、時計３とは別体として構成された計測装置２による計測値（計測結果）を、当該時計３の指針Ｐ１〜Ｐ３によって表示できるので、使用者は当該計測値を直観的に把握できる。この際、時計３の駆動部３６（指針駆動部３６３）は、計測装置２から送信されて日時情報受信部３３によって受信される運針情報に基づいて指針Ｐ１〜Ｐ３を回動させて、当該計測結果を示す。これによれば、計測装置２から計測値が受信され、時計３の制御部３８が、当該計測値に応じた指針の位置を算出して、駆動部３６が、算出された位置に上記指針Ｐ１〜Ｐ３を回動させる場合に比べて、当該時計３の処理を省略又は簡略化できる。従って、時計３の消費電力を低減させることができる他、当該時計３の構成を簡略化できる。
また、計測システム１に、種々の計測項目を計測する計測装置２が採用される場合でも、当該計測装置２が上記運針情報を送信しさえすれば、当該運針情報に基づいて、時計３が、計測装置２による計測結果を確実に表示できる。従って、時計３を汎用的な表示装置として利用できるので、時計３、ひいては、計測システム１の利便性を向上させることができる。
【００６４】
運針情報生成部２６６は、上記計測結果のうち、新たに検出及び解析された計測結果と、直前に送信された運針情報に応じた計測結果との差分に基づいて、上記運針情報を生成する。そして、通信部２４は、このようにして順次生成される運針情報を所定間隔毎に送信する。これによれば、新たに計測された計測結果を指針Ｐ１〜Ｐ３が示す際に、これら指針Ｐ１〜Ｐ３の現在位置からの回動量（移動量）を小さくすることができる。従って、指針Ｐ１〜Ｐ３の移動に伴う消費電力を更に低減できる。
【００６５】
指針Ｐ１〜Ｐ３は、計測値の桁数に応じて複数設けられている。そして、運針情報生成部２６６は、新たに取得された計測結果を示す際の各指針Ｐ１〜Ｐ３の位置と、直前に送信された運針情報に応じた計測結果を示す際の各指針Ｐ１〜Ｐ３の位置（現在の各指針Ｐ１〜Ｐ３の位置）との差分に基づいて、上記運針情報を生成する。これによれば、１つの指針によって４桁の数値を示す場合に比べて、各指針Ｐ１〜Ｐ３の移動精度が高くなくても、上記計測値を確実に読み取ることができる他、計測結果を迅速に表示できる。
また、上記のように生成される運針情報によって、各指針Ｐ１〜Ｐ３を個別に回動させることができるので、より効率よく指針Ｐ１〜Ｐ３を回動させることができる。従って、指針Ｐ１〜Ｐ３の移動に伴う消費電力を一層低減できる。
【００６６】
運針情報は、指針Ｐ１〜Ｐ３のそれぞれの回動方向及びステップ数（換言すると回動量）を含む情報である。そして、駆動部３６（指針駆動部３６３）は、当該運針情報に含まれる指針Ｐ１〜Ｐ３の回動方向及びステップ数に応じて各指針Ｐ１〜Ｐ３を回動させる。これによれば、運針情報に含まれる回動方向及びステップ数に応じたパルス信号が駆動部３６に入力しさえすれば、上記指針Ｐ１〜Ｐ３を回動させて、計測装置２による計測結果（計測値）を確実かつ簡易に表示できる。この際、運針情報に各指針Ｐ１〜Ｐ３の回動方向が含まれるので、当該各指針Ｐ１〜Ｐ３を一方及び他方に回動させることができ、これら指針Ｐ１〜Ｐ３を効率よく回動させることができる。従って、指針Ｐ１〜Ｐ３の移動によって当該計測結果を示す際の消費電力を確実に低減できる。
【００６７】
時計３は、発電部３１と、二次電池ＢＴと、発電部３１によって発電された電力により二次電池ＢＴを充電する充電部３２と、を有する。これによれば、時計３を永続的に機能させることができる。
ここで、発電部３１を構成するソーラーパネル等の発電装置によって発電された電力の電圧は、それほど高くない。このことから、指針Ｐ１〜Ｐ３によって上記計測結果を示す際の消費電力が大きい場合には、二次電池に蓄電された電力が不足する場合が想定される。この場合には、二次電池の容量を大きくする等の対策が必要になる。
これに対し、上記構成によって、計測結果を示す際の消費電力が低減されるので、時計３を機能させるための二次電池ＢＴの電池残量を確保しやすくすることができる。従って、容量が小さい二次電池ＢＴが採用される場合でも、時計３を確実に機能させ続けることができる。
【００６８】
時計３は、使用者の入力操作（押下操作）を受け付ける入力部としてのスイッチＳＷ３２と、当該入力操作に応じて開始情報を送信する情報送信部３８７及び通信部３５と、を有する。また、検出部２３及び情報解析部２６２は、それぞれ異なる複数の計測項目を計測可能に構成され、計測装置２は、当該複数の計測項目のうち、運針情報の送信対象となる計測項目である送信対象項目を切り替える対象切替部２６４と、上記開始情報を受信する通信部２４と、開始情報が受信されると、送信対象項目を報知する報知部としての発光部ＬＰ１〜ＬＰ４と、を有する。これによれば、時計３の使用者は、上記指針Ｐ１〜Ｐ３が計測結果を示している計測項目を、当該発光部ＬＰ１〜ＬＰ４の点灯状態を確認することによって把握できる。従って、計測システム１の利便性を向上させることができる。
【００６９】
計測装置２は、複数の計測項目に応じた複数の発光部ＬＰ１〜ＬＰ４を報知部として有する他、複数の発光部ＬＰ１〜ＬＰ４のうち、上記送信対象項目に応じた発光部を点灯させる報知制御部２６５を有する。これによれば、上記のように、複数の発光部ＬＰ１〜ＬＰ４のうち、点灯されている発光部を確認することにより、送信対象項目を把握できる。従って、音声等によって送信対象項目が報知される場合に比べて、当該送信対象項目を把握しやすくすることができる。
【００７０】
時計３は、スイッチＳＷ３２が押下されてから始動するタイマー３８８と、当該タイマー３８８による計時時間が所定時間を経過すると、指針Ｐ１〜Ｐ３の移動を停止させる指針制御部３９０と、を有する。これによれば、取得される運針情報に応じた指針Ｐ１〜Ｐ３の回動、すなわち、指針Ｐ１〜Ｐ３による上記計測結果の表示は、スイッチＳＷ３２が押下されてから所定時間を経過するまでの間となる。従って、指針Ｐ１〜Ｐ３の回動が長時間に亘って実施される場合に比べて、消費電力を低減させることができる。
【００７１】
検出部２３は、それぞれ計測項目である紫外線量、温度（気温）、歩数及びカロリー（消費カロリー）を計測するセンサーＳＳ１〜ＳＳ３を有する。これによれば、これら計測項目の計測結果が指針Ｐ１〜Ｐ３によって表示されるので、計測システム１の用途を拡大できる。
【００７２】
［実施形態の変形］
本発明は、上記実施形態に限定されるものではなく、本発明の目的を達成できる範囲での変形、改良等は本発明に含まれるものである。
上記実施形態では、計測装置２は、時計３の装着者である使用者によって携帯可能に構成されているとした。しかしながら、これに限らず、計測装置２は、所定の位置に固定されていてもよい。例えば、計測装置２は、建物、店舗、公共施設、自転車及び自動車（二輪車を含む）に設けられていてもよい。すなわち、計測装置２の設置対象は、問わない。
【００７３】
上記実施形態では、計測装置２は、紫外線量、温度（気温）、歩数及びカロリーを計測可能であるとした。しかしながら、計測装置２による計測項目は、これらに限定されない。例えば、計測装置２は、使用者の脈拍（脈波）、体温、脳波、心電、血糖値及び運動強度等の生体情報を検出及び計測可能に構成されていてもよく、加速度及び角速度等の動き情報や、当該動き情報に基づく使用者の移動速度及び移動距離等の体動情報を検出及び計測可能に構成されていてもよい。更に、計測装置２は、気圧、方位、照度、湿度、放射線量及び現在位置等の環境情報を計測可能に構成されていてもよい。
なお、上記のような計測項目を計測する計測部を、時計が有していてもよい。
【００７４】
上記実施形態では、駆動部３６（指針駆動部３６３）は、指針Ｐ１〜Ｐ３のそれぞれを回動させる３つのステッピングモーターを有する構成とした。しかしながら、これに限らず、指針Ｐ１〜Ｐ３のそれぞれを独立して回動させることが可能であれば、指針駆動部３６３の構成は、ステッピングモーターを有する構成に限定されない。例えば、指針駆動部３６３は、圧電素子等のアクチュエーターを有する構成としてもよい。この場合、ステップ数に代えて、回動角や回動量を運針情報に含めてもよく、指針Ｐ１〜Ｐ３の回動量を検出するセンサーを用いて、当該回動角及び回動量に応じた運針が実施されているか否かを判定しつつ、当該指針Ｐ１〜Ｐ３を運針してもよい。
【００７５】
上記実施形態では、運針情報には、各指針Ｐ１〜Ｐ３の回動方向が含まれるとした。しかしながら、これに限らず、例えば指針Ｐ１〜Ｐ３が一方向にのみ回動される構成である場合には、回動方向は運針情報に含まれなくてもよい。
【００７６】
上記実施形態では、運針情報は、新たに取得された計測結果と、直前に送信された運針情報に応じた計測結果との差分に基づいて生成されるとした。詳述すると、運針情報は、新たに取得された計測結果を示す際の指針Ｐ１〜Ｐ３の位置と、直前に送信された運針情報に応じた計測結果を示す際の指針Ｐ１〜Ｐ３の位置（現在の指針Ｐ１〜Ｐ３の位置）との差分に基づいて生成されるとした。しかしながら、これに限らず、所定位置（例えば「０」の位置）からの各指針Ｐ１〜Ｐ３の回動量を、運針情報に含めてもよい。この場合、新たに運針情報が受信される毎に、各指針Ｐ１〜Ｐ３を当該所定位置に回動させた上で、当該運針情報に応じて各指針Ｐ１〜Ｐ３を回動させる構成としてもよい。
【００７７】
上記実施形態では、時計３は、充電部３２は、発電部３１によって発電された電力を用いて二次電池ＢＴを充電する構成とした。しかしながら、これに限らず、充電部３２が、外部から供給される電力を用いて二次電池を充電する構成としてもよい。更に、時計３は、発電部３１、充電部３２及び二次電池ＢＴに代えて一次電池を備えていてもよい。
【００７８】
上記実施形態では、時計３は、スイッチＳＷ３２の押下に応じて上記開始情報を送信するとした。しかしながら、これに限らず、時計３は、りゅうず等の他の入力部に対する入力操作に応じて上記開始情報を送信する構成としてもよい。また、時計３が常に上記運針情報を受信及び取得して、計測装置２による計測結果を常に表示する構成としてもよい。
一方、計測装置２は、当該開始情報が受信されると、発光部ＬＰ１〜ＬＰ４のうち送信対象項目に応じた発光部を点灯させるとした。しかしながら、これに限らず、計測装置２は、音声によって送信対象項目を報知してもよく、液晶パネルや有機ＥＬ（Electro-Luminescence）パネル等の表示パネルを有する場合には、当該表示パネルによって送信対象項目を表示してもよい。すなわち、送信対象項目を報知する構成は問わない。
【００７９】
上記実施形態では、時計３は、上記開始情報が送信されてから始動するタイマー３８８を有し、当該タイマー３８８による計時時間が所定時間を経過した場合、或いは、使用者によりスイッチＳＷ３２を押下する終了操作が行われた場合に、運針情報に応じた指針Ｐ１〜Ｐ３の回動を停止させるとした。しかしながら、このようなタイマー３８８は無くてもよい。また、当該所定時間も、使用者が変更可能に構成されていてもよい。
【００８０】
上記実施形態では、運針情報は、指針Ｐ１〜Ｐ３によって計測結果である計測値を表示するように、これら指針Ｐ１〜Ｐ３を回動させる情報とした。しかしながら、これに限らず、計測結果を示す指針の数は、３に限定されず、１つ又は２つであってもよく、４つ以上であってもよい。また、時針、分針及び秒針を、本発明の指針として用いてもよい。
また、例えば、計測装置２が、４つの指針を有する時計に対して運針情報を送信する場合には、運針情報は、当該４つの指針によって計測値を表示するように、これら４つの指針を回動させる運針情報であってもよい。
【００８１】
更に、運針情報生成部２６６は、当該運針情報の送信先である時計が有する指針の数や、当該指針の駆動部の構成及び駆動方式に応じた運針情報を生成してもよい。この場合、計測装置と時計とが互いの通信接続を確立する際に、計測装置がこれらの情報を含む接続情報を時計から受信して記憶し、当該接続情報に基づいて上記運針情報を生成してもよい。このような構成によれば、上記時計３とは指針の数が異なる時計や、１ステップ分の指針の回動角が異なる時計においても、計測装置２による計測結果（計測値）を、当該時計の指針によって確実に表示できる。
【００８２】
上記実施形態では、指針Ｐ１，Ｐ２は、回動軸が互いに同軸となるように小窓３０５に配置され、指針Ｐ３は、回動軸が時針ＨＨ及び分針ＭＨと同軸となるように配置されるとした。しかしながら、これに限らず、指針Ｐ１〜Ｐ３のレイアウトは適宜変更してよい。また、時計本体３０が有する各針、小窓及びスイッチのレイアウトも、適宜変更可能である。更に、例えば電池残量表示針３０４２等、一部の針は無くてもよい。
【００８３】
上記実施形態では、計測装置２は、時計３とは別体として設けられるセンサーユニットとして構成されていた。このような計測装置２は、所定の計測項目に関する情報を計測する計測部と、当該計測部による計測結果に基づく上記運針情報を生成する運針情報生成部と、生成された運針情報を送信する送信部と、を有すれば、他の構成を備えていてもよい。例えば、計測装置２は、スマートフォン（多機能携帯電話機）であってもよい。この場合、当該計測装置２が、上記計測結果指示プログラムをダウンロード等により取得及び実行することによって、上記計測装置２と同様に機能できる。
【符号の説明】
【００８４】
１…計測システム、２…計測装置、２３…検出部（計測部）、２４…通信部（計測装置側送信部、計測装置側受信部、送信部）、２５…記憶部、２６２…情報解析部（計測部）、２６４…対象切替部、２６５…報知制御部、２６６…運針情報生成部、３…時計、３０…時計本体、３１…発電部、３２…充電部、３５…通信部（時計側受信部、時計側送信部、受信部）、３６…駆動部、３８８…タイマー、３９０…指針制御部、ＢＮ１，ＢＮ２…バンド、ＢＴ…二次電池、ＬＰ１〜ＬＰ４…発光部（報知部）、Ｐ１〜Ｐ３…指針、ＳＷ３１〜ＳＷ３４…スイッチ（入力部）。
【図１】
2018109579.tif 000003
【図２】
2018109579.tif 000004
【図３】
2018109579.tif 000005
【図４】
2018109579.tif 000006
【図５】
2018109579.tif 000007
【図６】
2018109579.tif 000008
【図７】
2018109579.tif 000009
【図８】
2018109579.tif 000010